(57)【要約】【課題】  モードを切り替える処理の煩雑さを改善することが可能な携帯端末、及び、この携帯端末に用いられるプログラムを提供する。【解決手段】  複数のキー３０が設けられた携帯端末１００が、キー３０にユーザが接触したことを検出する接触検出インターフェース１１と、キー３０をユーザが押下したことを検出する押下検出インターフェース１２と、サイドキー３０ａにユーザが接触しているか否かに応じてモードを切り替えるとともに、キー３０がユーザによって「シフトモード」で押下されると、そのキー３０に割り付けられた第１機能を実行し、キー３０がユーザによって「通常モード」で押下されると、そのキー３０に割り付けられた第２機能を実行する制御部１４と、キー３０にユーザが接触したことが「シフトモード」で検出されると、そのキー３０に割り付けられた第１機能に係る説明を表示する表示部２０とを備える。【選択図】  図３
2007082101.tif 000002
【特許請求の範囲】
【請求項１】
複数のキーが設けられた携帯端末であって、
前記キーにユーザが接触したことを検出する接触検出部と、
前記キーをユーザが押下したことを検出する押下検出部と、
前記キーの一つである特定キーにユーザが接触している場合に、第１モードにモードを切り替え、前記特定キーにユーザが接触していない場合に、第２モードにモードを切り替えるモード切替部と、
前記特定キーとは異なる前記キーである入力キーをユーザが押下したことを前記第１モードで前記押下検出部が検出した場合に、前記入力キーに割り付けられた第１機能を実行し、前記入力キーをユーザが押下したことを前記第２モードで前記押下検出部が検出した場合に、前記入力キーに割り付けられた第２機能を実行する機能実行部と、
前記入力キーにユーザが接触したことを前記第１モードで接触検出部が検出した場合に、前記入力キーに割り付けられた前記第１機能に係る説明を出力する出力部とを備えることを特徴とする携帯端末。
【請求項２】
前記出力部は、前記入力キーにユーザが接触したことを前記第２モードで接触検出部が検出した場合に、前記入力キーに割り付けられた前記第２機能に係る説明を出力することを特徴とする請求項１に記載の携帯端末。
【請求項３】
前記モード切替部は、前記特定キーにユーザが接触している状態から前記特定キーにユーザが接触していない状態となった場合であっても、前記第１モードから前記第２モードにモードを切り替えずに、前記第１モードを所定時間に亘って継続することを特徴とする請求項１に記載の携帯端末。
【請求項４】
前記モード切替部は、前記特定キーにユーザが接触している状態から連続して前記入力キーにユーザが接触している状態となった場合に、前記特定キーにユーザが接触していなくても、前記第１モードから前記第２モードにモードを切り替えずに、いずれの前記入力キーにもユーザが接触していない状態となるまで前記第１モードを継続することを特徴とする請求項１に記載の携帯端末。
【請求項５】
複数のキーが設けられた携帯端末に用いられるプログラムであって、コンピュータに、
前記キーにユーザが接触したことを検出するステップと、
前記キーをユーザが押下したことを検出するステップと、
前記キーの一つである特定キーにユーザが接触している場合に、第１モードにモードを切り替え、前記特定キーにユーザが接触していない場合に、第２モードにモードを切り替えるステップと、
前記特定キーとは異なる前記キーである入力キーをユーザが押下したことが前記第１モードで検出された場合に、前記入力キーに割り付けられた第１機能を実行し、前記入力キーをユーザが押下したことが前記第２モードで検出された場合に、前記入力キーに割り付けられた第２機能を実行するステップと、
前記入力キーにユーザが接触したことが前記第１モードで検出された場合に、前記入力キーに割り付けられた前記第１機能に係る説明を出力するステップとを実行させることを特徴とするプログラム。
【発明の詳細な説明】
【技術分野】
【０００１】
本発明は、複数のキーが設けられ、キーに複数の機能が割り付けられた携帯端末、及び、この携帯端末に用いられるプログラムに関する。
【背景技術】
【０００２】
従来、携帯電話やＰＤＡなどのような携帯端末として、携帯端末が有する機能を呼び出すための機能キーが設けられたものが広く知られている。また、携帯端末の携帯性を重視すると、多数の機能キーを携帯端末に設けることが好ましくないため、一つの機能キーに複数の機能が割り付けられた携帯端末も知られている。
【０００３】
例えば、このような携帯端末では、「通常モード」や「短縮ダイヤルモード」などのモードを切り替えることによって、同一のキーに割り付けられた複数の機能が切り替えられる。具体的には、モードが「通常モード」である場合にキーが押下されると、そのキーに割り付けられた一の機能（数字を入力する機能）が実行され、モードが「短縮ダイヤルモード」である場合にキーが押下されると、そのキーに割り付けられた他の機能（短縮ダイヤルで発呼する機能）が実行される（例えば、特許文献1）。
【特許文献１】特開2000-278374号公報（図2など）
【発明の開示】
【発明が解決しようとする課題】
【０００４】
しかしながら、一般的に、上述した携帯端末でモードを切り替えるためには、モードを切り替えるためのモード切替画面を呼び出さなければならず、モードを切り替える処理が煩雑であった。
【０００５】
また、モードを切り替えるためのモード切替キーを携帯端末に設けることも考えられるが、モードを頻繁に切り替える場合に、モード切替キーを何度も押下しなければならず、モードを切り替える処理の煩雑さを改善しきれていなかった。
【０００６】
そこで、本発明は、上述した課題を解決するためになされたものであり、モードを切り替える処理の煩雑さを改善することが可能な携帯端末、及び、この携帯端末に用いられるプログラムを提供することを目的とする。
【課題を解決するための手段】
【０００７】
本発明の第１の特徴は、複数のキーが設けられた携帯端末が、前記キーにユーザが接触したことを検出する接触検出部（タッチパッド１０ｂ及び押下検出インターフェース１２）と、前記キーをユーザが押下したことを検出する押下検出部（押下検出インターフェース１２）と、前記キーの一つである特定キーにユーザが接触している場合に、第１モードにモードを切り替え、前記特定キーにユーザが接触していない場合に、第２モードにモードを切り替えるモード切替部（制御部１４）と、前記特定キーとは異なる前記キーである入力キーをユーザが押下したことを前記第１モードで前記押下検出部が検出した場合に、前記入力キーに割り付けられた第１機能を実行し、前記入力キーをユーザが押下したことを前記第２モードで前記押下検出部が検出した場合に、前記入力キーに割り付けられた第２機能を実行する機能実行部（制御部１４）と、前記入力キーにユーザが接触したことを前記第１モードで接触検出部が検出した場合に、前記入力キーに割り付けられた前記第１機能に係る説明を出力する出力部（表示部２０）とを備えることを要旨とする。
【０００８】
かかる特徴によれば、モード切替部が、特定キーにユーザが接触しているか否かに応じてモードを切り替えることにより、ユーザは、モードを頻繁に切り替える場合であっても、モード切替画面を呼び出したり、モード切替キーを何度も押下したりせずに、容易にモードを切り替えることができる。すなわち、携帯端末は、モードを切り替える処理の煩雑さを改善することができる。
【０００９】
本発明の第２の特徴は、本発明の第１の特徴において、前記出力部が、前記入力キーにユーザが接触したことを前記第２モードで接触検出部が検出した場合に、前記入力キーに割り付けられた前記第２機能に係る説明を出力することを要旨とする。
【００１０】
本発明の第３の特徴は、本発明の第１の特徴において、前記モード切替部が、前記特定キーにユーザが接触している状態から前記特定キーにユーザが接触していない状態となった場合であっても、前記第１モードから前記第２モードにモードを切り替えずに、前記第１モードを所定時間に亘って継続することを要旨とする。
【００１１】
本発明の第４の特徴は、本発明の第１の特徴において、前記モード切替部が、前記特定キーにユーザが接触している状態から連続して前記入力キーにユーザが接触している状態となった場合に、前記特定キーにユーザが接触していなくても、前記第１モードから前記第２モードにモードを切り替えずに、いずれの前記入力キーにもユーザが接触していない状態となるまで前記第１モードを継続することを要旨とする。
【００１２】
本発明の第５の特徴は、複数のキーが設けられた携帯端末に用いられるプログラムが、前記キーにユーザが接触したことを検出するステップと、前記キーをユーザが押下したことを検出するステップと、前記キーの一つである特定キーにユーザが接触している場合に、第１モードにモードを切り替え、前記特定キーにユーザが接触していない場合に、第２モードにモードを切り替えるステップと、前記特定キーとは異なる前記キーである入力キーをユーザが押下したことが前記第１モードで検出された場合に、前記入力キーに割り付けられた第１機能を実行し、前記入力キーをユーザが押下したことが前記第２モードで検出された場合に、前記入力キーに割り付けられた第２機能を実行するステップと、前記入力キーにユーザが接触したことが前記第１モードで検出された場合に、前記入力キーに割り付けられた前記第１機能に係る説明を出力するステップとをコンピュータに実行させることを要旨とする。
【発明の効果】
【００１３】
本発明によれば、モードを切り替える処理の煩雑さを改善することが可能な携帯端末、及び、この携帯端末に用いられるプログラムを提供することができる。
【発明を実施するための最良の形態】
【００１４】
以下において、本発明の実施形態に係る携帯端末について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１５】
［第１実施形態］
（携帯端末の構成）
以下において、本発明の第１実施形態に係る携帯端末の構成について、図面を参照しながら説明する。図１は、本発明の第１実施形態に係る携帯端末１００を示す外観図である。
【００１６】
図１に示すように、携帯端末１００は、本体部１０と表示部２０とを有しており、本体部１０には、複数のキー３０が設けられている。なお、キー３０とは、「０」〜「９」、「＊」、「＃」及び「クリア」などのキーやソフトキーである。また、本体部１０には、各キー３０に割り付けられた機能毎に設定されたモードを切り替えるためのサイドキー３０ａや発呼するための発呼キー３０ｂなども設けられている。第１実施形態に係るモードは、サイドキー３０ａに接触していない場合には「通常モード」に切り替えられ、サイドキー３０ａに接触している場合には「シフトモード」に切り替えられる。
【００１７】
本体部１０は、後述する制御基板１０ｃを有しており、押下されたキー３０に割り付けられた機能を実行する。なお、機能とは、文字を入力する機能、短縮ダイヤル機能、各種画面を呼び出す機能、各種アプリケーションを起動する機能、各種コンテンツを出力する機能などである。
【００１８】
表示部２０には、各機能に係る説明などが表示される。また、表示部２０には、機能によって呼び出された各種画面、機能によって起動された各種アプリケーションなどが表示される。
【００１９】
図２は、本発明の第１実施形態に係る携帯端末１００を示す分解図である。図２に示すように、本体部１０は、キー配置面１０ａと、タッチパッド１０ｂと、制御基板１０ｃとを有する。
【００２０】
キー配置面１０ａは、キー３０を保持するシート状の部材であり、キー３０が嵌め込まれる複数の孔（不図示）を有している。
【００２１】
タッチパッド１０ｂは、各キー３０（サイドキー３０ａを含む）にユーザが接触したことを検出する。なお、タッチパッド１０ｂは、ユーザが継続してキー３０に接触していることも検出可能である。
【００２２】
制御基板１０ｃは、タッチパッド１０ｂによる検出結果に応じて携帯端末１００を制御する。なお、制御基板１０ｃの詳細については後述する（図３を参照）。
【００２３】
（制御基板の構成）
以下において、上述した制御基板１０ｃの構成について、図面を参照しながら説明する。図３は、本発明の第１実施形態に係る制御基板１０ｃを示すブロック図である。
【００２４】
図３に示すように、制御基板１０ｃは、接触検出インターフェース１１と、押下検出インターフェース１２と、キー割付情報記憶部１３と、制御部１４と、表示制御部１５とを有する。
【００２５】
接触検出インターフェース１１は、タッチパッド１０ｂに接続されており、各キー３０にユーザが接触したことを示す信号をタッチパッド１０ｂから取得する。なお、接触検出インターフェース１１は、ユーザが継続してキー３０に接触している場合には、タッチパッド１０ｂから継続して信号を取得する。
【００２６】
押下検出インターフェース１２は、各キー３０に接続されており、各キー３０をユーザが押下したことを示す信号を取得する。
【００２７】
キー割付情報記憶部１３は、キー３０の種類と各キー３０に割り付けられた機能とを対応付ける情報をキー割付情報として記憶する。また、各キー３０には、複数の機能が割り付けられている。なお、キー割付情報の詳細については後述する（図４を参照）。
【００２８】
制御部１４は、上述したサイドキー３０ａにユーザが接触しているか否かに応じて、モードを切り替える。具体的には、制御部１４は、サイドキー３０ａにユーザが接触していない場合には「通常モード」を設定し、サイドキー３０ａにユーザが接触している場合には「シフトモード」を設定する。
【００２９】
また、制御部１４は、モードの種類及びユーザが押下したキー３０の種類に応じて、キー３０に割り付けられた機能を実行する。具体的には、制御部１４は、モードが「シフトモード」である場合には、ユーザが押下したキー３０に割り付けられた機能（後述する第１機能）を実行する。一方、制御部１４は、モードが「通常モード」である場合には、ユーザが押下したキー３０に割り付けられた機能（後述する第２機能）を実行する。
【００３０】
また、制御部１４は、モードの種類及びユーザが接触したキー３０の種類に応じて、キー３０に割り付けられた機能に係る説明の表示を表示制御部１５に指示する。具体的には、制御部１４は、モードが「シフトモード」である場合には、ユーザが接触しているキー３０に割り付けられた機能（後述する第１機能）に係る説明の表示を表示制御部１５に指示する。一方、制御部１４は、モードが「通常モード」である場合には、ユーザが接触しているキー３０に割り付けられた機能（後述する第２機能）に係る説明の表示を表示制御部１５に指示する。
【００３１】
表示制御部１５は、制御部１４の指示に応じて、キー３０に割り付けられた機能に係る説明を表示部２０に表示する。なお、機能に係る説明とは、機能の種類を示す文字列やアイコンなどである。
【００３２】
（キー割付情報）
以下において、上述したキー割付情報について、図面を参照しながら説明する。図４は、本発明の第１実施形態に係るキー割付情報を示す図である。
【００３３】
図４に示すように、キー割付情報は、キー３０の種類と各キー３０に割り付けられた機能とを対応付ける情報である。また、各キー３０には、モードが「シフトモード」である場合に実行される第１機能と、モードが「通常モード」である場合に実行される第２機能とが割り付けられている。
【００３４】
例えば、「ソフト（１）」キーには、メール編集画面を呼び出す機能が第１機能として割り付けられ、メニュー画面を呼び出す機能が第２機能として割り付けられている。
【００３５】
（携帯端末の動作）
以下において、上述した携帯端末１００の動作について、図面を参照しながら説明する。図５は、本発明の第１実施形態に係る携帯端末１００の動作を示すフロー図である。
【００３６】
図５に示すように、ステップ１００において、携帯端末１００は、キー３０に対するユーザの接触状態を監視する。
【００３７】
ステップ１０５において、携帯端末１００は、ユーザがサイドキー３０ａに接触したか否かを判定する。また、携帯端末１００は、ユーザがサイドキー３０ａに接触している場合には、ステップ１１５の処理に移り、ユーザがサイドキー３０ａに接触していない場合には、ステップ１１０の処理に移る。
【００３８】
ステップ１１０において、携帯端末１００は、モードが「シフトモード」である場合には、「シフトモード」を解除して、「通常モード」を設定する。
【００３９】
ステップ１１５において、携帯端末１００は、「シフトモード」を設定する。すなわち、携帯端末１００は、モードが「通常モード」である場合には、「シフトモード」にモードを移行する。
【００４０】
ステップ１２０において、携帯端末１００は、サイドキー３０ａ以外のキー３０（入力キー）にユーザが接触したか否かを判定する。また、携帯端末１００は、サイドキー３０ａ以外のキー３０にユーザが接触している場合には、ステップ１３０の処理に移り、サイドキー３０ａ以外のキー３０にユーザが接触していない場合には、ステップ１２５の処理に移る。
【００４１】
ステップ１２５において、携帯端末１００は、第１機能又は第２機能に係る説明を表示している場合には、第１機能又は第２機能に係る説明の表示を終了する。
【００４２】
ステップ１３０において、携帯端末１００は、モードが「シフトモード」であるか否かを判定する。また、携帯端末１００は、モードが「シフトモード」である場合には、ステップ１３５の処理に移り、モードが「通常モード」である場合には、ステップ１５０の処理に移る。
【００４３】
ステップ１３５において、携帯端末１００は、ユーザが接触しているキー３０に割り付けられた第１機能に係る説明を表示部２０に表示する。例えば、携帯端末１００は、モードが「シフトモード」であり、「ソフト（１）」キーにユーザが接触している場合には、「ソフト（１）」キーに割り付けられた第１機能、すなわち、メールを編集するためのメール編集画面を呼び出す機能に係る説明（例えば、「メール」の文字列やアイコンなど）を表示部２０に表示する。
【００４４】
ステップ１４０において、携帯端末１００は、ユーザがキー３０を押下したか否かを判定する。また、携帯端末１００は、ユーザがキー３０を押下した場合には、ステップ１４５の処理に移り、ユーザがキー３０を押下していない場合には、ステップ１００の処理に戻る。
【００４５】
ステップ１４５において、携帯端末１００は、第１機能に係る説明の表示を終了して、ユーザが押下したキー３０に割り付けられた第１機能を実行する。例えば、携帯端末１００は、モードが「シフトモード」であり、「ソフト（１）」キーをユーザが押下した場合には、「ソフト（１）」キーに割り付けられた第１機能、すなわち、メール編集画面を呼び出す機能を実行する。
【００４６】
ステップ１５０において、携帯端末１００は、ユーザが接触しているキー３０に割り付けられた第２機能に係る説明を表示部２０に表示する。例えば、携帯端末１００は、モードが「通常モード」であり、「ソフト（１）」キーにユーザが接触している場合には、「ソフト（１）」キーに割り付けられた第２機能、すなわち、メニュー画面を呼び出す機能に係る説明（例えば、「メニュー」の文字列やアイコンなど）を表示部２０に表示する。
【００４７】
ステップ１５５において、携帯端末１００は、ユーザがキー３０を押下したか否かを判定する。また、携帯端末１００は、ユーザがキー３０を押下した場合には、ステップ１６０の処理に移り、ユーザがキー３０を押下していない場合には、ステップ１００の処理に戻る。
【００４８】
ステップ１６０において、携帯端末１００は、第２機能に係る説明の表示を終了して、ユーザが押下したキー３０に割り付けられた第２機能を実行する。例えば、携帯端末１００は、モードが「通常モード」であり、「ソフト（１）」キーをユーザが押下した場合には、「ソフト（１）」キーに割り付けられた第２機能、すなわち、メニュー画面を呼び出す機能を実行する。
【００４９】
ステップ１６５において、携帯端末１００は、「シフトモード」を解除して、「通常モード」を設定する。
【００５０】
（表示画面）
以下において、上述した表示部２０に表示される画面について、図面を参照しながら説明する。図６及び図７は、本発明の第１実施形態に係る表示部２０に表示される画面を示す図である。
【００５１】
図６は、サイドキー３０ａにユーザが接触しておらず、「ソフト（１）」キーにユーザが接触している場合に、表示部２０に表示される画面を示す図である。図６に示すように、表示部２０には、「ソフト（１）」キーに割り付けられた第２機能に係る説明、すなわち、メニュー画面を呼び出す機能に係る説明（「メニュー」の文字列）が表示される。また、表示部２０には、「決定」キー及び「ソフト（２）」キーに割り付けられた第２機能に係る説明、すなわち、電話帳を呼び出す機能に係る説明（「電話帳」の文字列）及びユーザが設定したショートカット機能が並べられたジャンプ画面を呼び出す機能に係る説明（「ジャンプ」の文字列）も表示される。
【００５２】
図７は、サイドキー３０ａにユーザが接触しており、「ソフト（１）」キーにもユーザが接触している場合に、表示部２０に表示される画面を示す図である。図７に示すように、表示部２０には、「ソフト（１）」キーに割り付けられた第１機能に係る説明、すなわち、メール編集画面を呼び出す機能に係る説明（「メール」の文字列）が表示される。また、表示部２０には、「決定」キー及び「ソフト（２）」キーに割り付けられた第１機能に係る説明、すなわち、電話帳を呼び出す機能に係る説明（「電話帳」の文字列）及びインターネットを利用するための画面を呼び出す機能に係る説明（「インターネット」の文字列）も表示される。
【００５３】
（作用及び効果）
本発明の第１実施形態に係る携帯端末１００によれば、携帯端末１００が、サイドキー３０ａにユーザが接触しているか否かに応じてモードを切り替えることにより、ユーザは、モードを頻繁に切り替える場合であっても、モード切替画面を呼び出したり、モード切替キーを何度も押下したりせずに、容易にモードを切り替えることができる。すなわち、携帯端末１００は、モードを切り替える処理の煩雑さを改善することができる。
【００５４】
また、表示制御部１５が、モードが「シフトモード」である場合に、キー３０に割り付けられた第１機能に係る説明を表示部２０に表示することにより、キー３０を押下した際に実行される機能をユーザに容易に把握させることができる。
【００５５】
［第２実施形態］
以下において、本発明の第２実施形態に係る携帯端末について、図面を参照しながら説明する。なお、以下においては、上述した第１実施形態と相違する点について主として説明する。
【００５６】
具体的には、上述した第１実施形態では、ユーザがサイドキー３０ａに接触している場合にのみ、「シフトモード」が設定されており、ユーザがサイドキー３０ａに接触していない場合に、「シフトモード」が解除されて、「通常モード」が設定される。
【００５７】
これに対して、第２実施形態では、ユーザがサイドキー３０ａに接触している状態からユーザがサイドキー３０ａに接触していない状態となった場合であっても、「シフトモード」が解除されずに所定時間に亘って継続する。
【００５８】
（携帯端末の動作）
以下において、本発明の第２実施形態に係る携帯端末１００の動作について、図面を参照しながら説明する。図８は、本発明の第２実施形態に係る携帯端末１００の動作を示すフロー図である。なお、図８では、図５に示したフロー図と同じ処理について、同一のステップ番号が付与されている。
【００５９】
図８に示すように、ステップ２０５において、携帯端末１００は、タイマ（Ｔ１）を“０”にセットして、シフトモードの継続時間のカウントアップを開始する。なお、ステップ２０５の処理は、ステップ１０５でユーザがサイドキー３０ａに接触していると判定された場合に行われる処理である。
【００６０】
ステップ２１０において、携帯端末１００は、タイマ（Ｔ１）によってカウントアップされているシフトモードの継続時間が所定の判定時間以上であるか否かを判定する。また、携帯端末１００は、シフトモードの継続時間が所定の判定時間以上である場合には、ステップ１１０の処理に移り、シフトモードの継続時間が所定の判定時間未満である場合には、ステップ１２０の処理に移る。なお、ステップ２１０の処理は、ステップ１０５でユーザがサイドキー３０ａに接触していないと判定された場合に行われる処理である。
【００６１】
ステップ２１５において、携帯端末１００は、タイマ（Ｔ１）によるシフトモードの継続時間のカウントアップを終了する。なお、ステップ２１５の処理は、ステップ２１０の処理でシフトモードの継続時間が所定の判定時間以上であると判定された場合に行われる処理である。
【００６２】
ステップ２２０において、携帯端末１００は、タイマ（Ｔ１）によるシフトモードの継続時間のカウントアップを終了する。なお、ステップ２２０の処理は、ユーザが押下したキー３０に割り付けられた第１機能又は第２機能が実行された場合に行われる処理である。
【００６３】
なお、第２実施形態では、タイマ（Ｔ１）によるシフトモードの継続時間のカウントアップは、ユーザがサイドキー３０ａに接触した際に開始するが、これに限定されるものではない。例えば、タイマ（Ｔ１）によるシフトモードの継続時間のカウントアップは、ユーザがサイドキー３０ａから指を離した際に開始してもよい。
【００６４】
（表示画面）
以下において、本発明の第２実施形態に係る表示部２０に表示される画面について、図面を参照しながら説明する。図９は、本発明の第２実施形態に係る表示部２０に表示される画面を示す図である。
【００６５】
具体的には、図９は、ユーザがサイドキー３０ａに接触している場合に、表示部２０に表示される画面を示す図である。図９に示すように、表示部２０には、モードが「シフトモード」であることを示すシフト表示２０ｓが表示される。
【００６６】
図１０は、図９に示した状態の後に、ユーザがサイドキー３０ａから指を離した後に、「ソフト（１）」キーにユーザが接触した場合に、表示部２０に表示される画面を示す図である。図１０に示すように、表示部２０には、上述したシフト表示２０ｓとともに、「ソフト（１）」キーに割り付けられた第１機能に係る説明、すなわち、メール編集画面を呼び出す機能に係る説明（「メール」の文字列）が表示される。また、表示部２０には、「決定」キー及び「ソフト（２）」キーに割り付けられた第１機能に係る説明、すなわち、電話帳を呼び出す機能に係る説明（「電話帳」の文字列）及びインターネットを利用するための画面を呼び出す機能に係る説明（「インターネット」の文字列）も表示される。
【００６７】
（作用及び効果）
本発明の第２実施形態に係る携帯端末１００によれば、携帯端末１００が、ユーザがサイドキー３０ａに接触している状態からユーザがサイドキー３０ａに接触していない状態となった場合に、「シフトモード」を所定時間に亘って継続する。
【００６８】
このように、ユーザが携帯端末１００を握りなおした場合などに、ユーザがサイドキー３０ａから指を意図せずに離してしまった場合であっても、携帯端末１００は、「シフトモード」を継続する。従って、携帯端末１００は、ユーザの利便性の向上を図ることができる。
【００６９】
［第３実施形態］
以下において、本発明の第３実施形態に係る携帯端末について、図面を参照しながら説明する。なお、以下においては、上述した第１実施形態と相違する点について主として説明する。
【００７０】
具体的には、上述した第１実施形態では、ユーザがサイドキー３０ａに接触しており（モードが「シフトモード」であり）、ユーザがいずれかのキー３０に接触した場合に、ユーザが接触したキー３０に割り付けられた第１機能に係る説明が表示される。
【００７１】
これに対して、第３実施形態では、ユーザがサイドキー３０ａに接触すると、ユーザが他のキー３０に接触していなくても、第１機能に係る説明のすべてが表示される。また、ユーザがサイドキー３０ａに接触しており（モードが「シフトモード」であり）、ユーザがいずれかのキー３０に接触した場合に、ユーザが接触したキー３０に割り付けられた第１機能に係る説明がフォーカスして表示される。
【００７２】
（キー割付情報）
以下において、本発明の第３実施形態に係るキー割付情報について、図面を参照しながら説明する。図１１は、本発明の第３実施形態に係るキー割付情報を示す図である。
【００７３】
図１１に示すように、キー割付情報は、第１実施形態と同様に、キー３０の種類と各キー３０に割り付けられた機能とを対応付ける情報である。また、各キー３０には、モードが「シフトモード」である場合に実行される第１機能と、モードが「通常モード」である場合に実行される第２機能とが割り付けられている。
【００７４】
例えば、「１」キーには、携帯端末１００の設定を変更するためのカスタマイズ画面を呼び出す機能が第１機能として割り付けられ、数字“１”を入力する機能（文字入力機能）が第２機能として割り付けられている。同様に、「２」キーには、カメラを起動する機能が第１機能として割り付けられ、数字“２”を入力する機能が第２機能として割り付けられている。
【００７５】
（携帯端末の動作）
以下において、本発明の第３実施形態に係る携帯端末１００の動作について、図面を参照しながら説明する。図１２は、本発明の第３実施形態に係る携帯端末１００の動作を示すフロー図である。なお、図１２では、図５に示したフロー図と同じ処理について、同一のステップ番号が付与されている。
【００７６】
図１２に示すように、ステップ３０５において、携帯端末１００は、第１機能に係る説明の全てを表示する。なお、ステップ３０５の処理は、ステップ１０５でユーザがサイドキー３０ａに接触していると判定された場合に行われる処理である。
【００７７】
例えば、携帯端末１００は、ユーザがサイドキー３０ａに接触している場合には、「１」キー〜「９」キーにそれぞれ割り付けられた第１機能に係る説明の全てを表示部２０に表示する。
【００７８】
ステップ３１０において、携帯端末１００は、第１機能に係る説明の表示を終了する。なお、ステップ３１０の処理は、ステップ１０５でユーザがサイドキー３０ａに接触していないと判定された場合に行われる処理である。
【００７９】
ステップ３１５において、携帯端末１００は、ユーザが接触しているキー３０に割り付けられた第１機能に係る説明をフォーカスして表示する。なお、ステップ３１５の処理は、ステップ１２０でサイドキー３０ａ以外のキー３０にユーザが接触していると判定され、かつ、ステップ１３０でモードが「シフトモード」であると判定された場合に行われる処理である。
【００８０】
例えば、携帯端末１００は、モードが「シフトモード」であり、「１」キーにユーザが接触した場合には、「１」キーに割り付けられた第１機能に係る説明、すなわち、携帯端末１００の設定を変更するためのカスタマイズ画面を呼び出す機能に係る説明（「カスタマイズ」の文字列など）をフォーカスして表示する。
【００８１】
ステップ３２０において、携帯端末１００は、ユーザが接触していたキー３０に割り付けられた第１機能に係る説明のフォーカス表示を終了する。なお、ステップ３２０の処理は、ステップ１２０でサイドキー３０ａ以外のキー３０にユーザが接触していないと判定された場合に行われる処理である。
【００８２】
ステップ３２５において、携帯端末１００は、第１機能に係る説明の表示及びユーザが押下したキー３０に割り付けられた第１機能に係る説明のフォーカス表示を終了する。また、携帯端末１００は、ユーザが押下したキー３０に割り付けられた第１機能を実行する。なお、ステップ３２５の処理は、ステップ１３０でモードが「シフトモード」であると判定され、かつ、ステップ１４０でユーザがキー３０を押下したことが検出された場合に行われる処理である。
【００８３】
ステップ３３０において、携帯端末１００は、ユーザが押下したキー３０に割り付けられた第２機能を実行する。なお、ステップ３３０の処理は、ステップ１３０でモードが「シフトモード」であると判定され、かつ、ステップ１５５でユーザがキー３０を押下したことが検出された場合に行われる処理である。
【００８４】
（表示画面）
以下において、本発明の第３実施形態に係る表示部２０に表示される画面について、図面を参照しながら説明する。図１３〜図１４は、本発明の第３実施形態に係る表示部２０に表示される画面を示す図である。
【００８５】
図１３は、ユーザがサイドキー３０ａに接触した場合に、表示部２０に表示される画面を示す図である。図１３に示すように、表示部２０には、各キー３０にそれぞれ割り付けられている第１機能の係る説明の全てが表示される。
【００８６】
図１４は、図１３に示した状態でユーザが「１」キーに接触した場合に、表示部２０に表示される画面を示す図である。図１４に示すように、表示部２０には、ユーザが接触している「１」キーに割り付けられた第１機能に係る説明、すなわち、携帯端末１００の設定を変更するためのカスタマイズ画面を呼び出す機能に係る説明（「カスタマイズ」の文字列など）がフォーカスして表示される。
【００８７】
（作用及び効果）
本発明の第３実施形態に係る携帯端末１００によれば、携帯端末１００は、ユーザがサイドキー３０ａに接触するだけで、「シフトモード」を設定するとともに、「シフトモード」で実行される第１機能に係る説明の全てを表示部２０に表示する。
【００８８】
従って、ユーザは、モードを容易に切り替えることができるだけではなく、「シフトモード」で実行される第１機能について知識がなくても、所望の第１機能を容易に見つけることができる。
【００８９】
また、携帯端末１００は、モードが「シフトモード」である場合に、ユーザが接触しているキー３０に割り付けられた第１機能の係る説明をフォーカスして表示することにより、ユーザは、キー３０が押下された際に実行される第１機能を容易に把握することができる。
【００９０】
［第４実施形態］
以下において、本発明の第４実施形態に係る携帯端末について、図面を参照しながら説明する。なお、以下においては、上述した第３実施形態と相違する点について主として説明する。
【００９１】
具体的には、上述した第３実施形態では、ユーザがサイドキー３０ａに接触している場合に、「シフトモード」が設定されるが、第４実施形態では、ユーザが発呼キー３０ｂに接触している場合に、「シフトモード」が設定される。
【００９２】
また、上述した第３実施形態では、ユーザがサイドキー３０ａに接触していない場合に、「シフトモード」が解除されるが、第４実施形態では、ユーザが発呼キー３０ｂに接触している状態から連続してユーザが発呼キー３０ｂ以外のキー３０に接触した状態となった場合に、ユーザが発呼キー３０ｂに接触していなくても、「シフトモード」が解除されずに、いずれのキー３０にもユーザが接触していない状態となるまで「シフトモード」が継続する。
【００９３】
（携帯端末の動作）
以下において、本発明の第４実施形態に係る携帯端末１００の動作について、図面を参照しながら説明する。図１５は、本発明の第４実施形態に係る携帯端末１００の動作を示すフロー図である。なお、図１５では、図１２に示したフロー図と同じ処理について、同一のステップ番号が付与されている。
【００９４】
図１５に示すように、ステップ４０５において、携帯端末１００は、ユーザが発呼キー３０ｂに接触しているか否かを判定する。また、携帯端末１００は、ユーザが発呼キー３０ｂに接触している場合には、ステップ１１５の処理に移り、ユーザが発呼キー３０ｂに接触していない場合には、ステップ４１０の処理に移る。
【００９５】
ステップ４１０において、携帯端末１００は、ユーザが発呼キー３０ｂ以外のキー３０に接触しているか否かを判定する。また、携帯端末１００は、ユーザが発呼キー３０ｂ以外のキー３０に接触している場合には、ステップ１３０の処理に移り、ユーザが発呼キー３０ｂ以外のキー３０に接触していない場合には、ステップ１１０の処理に移る。
【００９６】
ステップ４１５において、携帯端末１００は、ユーザが発呼キー３０ｂ以外のキー３０に接触しているか否かを判定する。また、携帯端末１００は、ユーザが発呼キー３０ｂ以外のキー３０に接触している場合には、ステップ１３０の処理に移り、ユーザが発呼キー３０ｂ以外のキー３０に接触していない場合には、ステップ３２０の処理に移る。
【００９７】
なお、ユーザが発呼キー３０ｂから指を離してからユーザが発呼キー３０ｂ以外のキー３０に接触するまでに、いずれのキー３０にもユーザが接触していない状態（非接触状態）があっても、非接触状態が継続した時間が短い時間（例えば、数百ｍｓｅｃ）であれば、「シフトモード」が継続されてもよい。
【００９８】
（表示画面）
以下において、本発明の第４実施形態に係る表示部２０に表示される画面について、図面を参照しながら説明する。図１６〜図１７は、本発明の第４実施形態に係る表示部２０に表示される画面を示す図である。
【００９９】
図１６は、ユーザが発呼キー３０ｂに接触した場合に、表示部２０に表示される画面を示す図である。図１６に示すように、表示部２０には、各キー３０にそれぞれ割り付けられている第１機能の係る説明の全てが表示される。
【０１００】
図１７は、図１６に示した状態でユーザが「１」キーに接触した場合に、表示部２０に表示される画面を示す図である。図１７に示すように、表示部２０には、ユーザが接触している「１」キーに割り付けられた第１機能に係る説明、すなわち、携帯端末１００の設定を変更するためのカスタマイズ画面を呼び出す機能に係る説明（「カスタマイズ」の文字列など）がフォーカスして表示される。
【０１０１】
（作用及び効果）
本発明の第４実施形態に係る携帯端末１００によれば、携帯端末１００が、ユーザが発呼キー３０ｂに接触している状態から連続してユーザが発呼キー３０ｂ以外のキー３０に接触した状態となった場合には、「通常モード」を設定せずに「シフトモード」を継続する。
【０１０２】
従って、ユーザは、「シフトモード」にモードを移行させようとする場合に、発呼キー３０ｂに接触している状態から発呼キー３０ｂ以外のキー３０に連続して接触すれば、発呼キー３０ｂの接触を継続する必要がなくなり、ユーザの利便性が向上する。
【０１０３】
すなわち、発呼キー３０ｂから発呼キー３０ｂ以外のキー３０にユーザが指を滑らせるだけで「シフトモード」が継続されるため、ユーザの利便性が向上する。
【０１０４】
［第５実施形態］
以下において、本発明の第５実施形態に係る携帯端末について、図面を参照しながら説明する。なお、以下においては、上述した第３実施形態と相違する点について主として説明する。
【０１０５】
具体的には、上述した第３実施形態では、ユーザがサイドキー３０ａに接触していない場合に、「シフトモード」が解除されるが、第５実施形態では、ユーザがサイドキー３０ａに接触した状態から連続してユーザがサイドキー３０ａ以外のキー３０に接触した状態となった場合に、ユーザがサイドキー３０ａに接触していなくても、「シフトモード」が解除されない。また、第５実施形態では、第２実施形態と同様に、ユーザがサイドキー３０ａに接触している状態からユーザがサイドキー３０ａに接触していない状態となった場合であっても、「シフトモード」が解除されずに所定時間に亘って継続する。
【０１０６】
（携帯端末の動作）
以下において、本発明の第５実施形態に係る携帯端末１００の動作について、図面を参照しながら説明する。図１８は、本発明の第５実施形態に係る携帯端末１００の動作を示すフロー図である。なお、図１８では、図１２に示したフロー図と同じ処理について、同一のステップ番号が付与されている。
【０１０７】
図１８に示すように、ステップ５０５において、携帯端末１００は、タイマ（Ｔ１）を“０”にセットして、シフトモードの継続時間のカウントアップを開始する。なお、ステップ５０５の処理は、ステップ１０５でユーザがサイドキー３０ａに接触していると判定された場合に行われる処理である。
【０１０８】
ステップ５１０において、携帯端末１００は、タイマ（Ｔ１）によってカウントアップされているシフトモードの継続時間が所定の判定時間以上であるか否かを判定するとともに、サイドキー３０ａ以外のキー３０にユーザが接触しているか否かを判定する。また、携帯端末１００は、シフトモードの継続時間が所定の判定時間以上であり、かつ、サイドキー３０ａ以外のキー３０にユーザが接触していない場合には、ステップ１１０の処理に移る。一方、携帯端末１００は、シフトモードの継続時間が所定の判定時間未満である場合、又は、サイドキー３０ａ以外のキー３０にユーザが接触している場合には、ステップ１２０の処理に移る。なお、ステップ５１０の処理は、ステップ１０５でユーザがサイドキー３０ａに接触していないと判定された場合に行われる処理である。
【０１０９】
ステップ５１５において、携帯端末１００は、タイマ（Ｔ１）によるシフトモードの継続時間のカウントアップを終了する。なお、ステップ５１５の処理は、ステップ５１０の処理でシフトモードの継続時間が所定の判定時間以上であり、かつ、サイドキー３０ａ以外のキー３０にユーザが接触していないと判定された場合に行われる処理である。
【０１１０】
ステップ５２０において、携帯端末１００は、タイマ（Ｔ１）によるシフトモードの継続時間のカウントアップを終了する。なお、ステップ５２０の処理は、ユーザが押下したキー３０に割り付けられた第１機能又は第２機能が実行された場合に行われる処理である。
【０１１１】
なお、第５実施形態では、タイマ（Ｔ１）によるシフトモードの継続時間のカウントアップは、ユーザがサイドキー３０ａに接触した際に開始するが、これに限定されるものではない。例えば、タイマ（Ｔ１）によるシフトモードの継続時間のカウントアップは、ユーザがサイドキー３０ａから指を離した際に開始してもよい。また、ユーザがサイドキー３０ａに接触した状態から連続してサイドキー３０ａ以外のキー３０にユーザが接触した状態となった場合には、タイマ（Ｔ１）によるシフトモードの継続時間のカウントアップは、そのキー３０の接触が途切れた際に開始してもよい。
【０１１２】
（表示画面）
以下において、本発明の第５実施形態に係る表示部２０に表示される画面について、図面を参照しながら説明する。図１９〜図２２は、本発明の第５実施形態に係る表示部２０に表示される画面を示す図である。
【０１１３】
図１９は、ユーザがサイドキー３０ａに接触した場合に、表示部２０に表示される画面を示す図である。図１９に示すように、表示部２０には、各キー３０にそれぞれ割り付けられている第１機能の係る説明の全てが表示される。
【０１１４】
図２０は、図１９に示した状態から連続してユーザが「１」キーに接触した場合に、表示部２０に表示される画面を示す図である。図２０に示すように、表示部２０には、ユーザが接触している「１」キーに割り付けられた第１機能に係る説明、すなわち、携帯端末１００の設定を変更するためのカスタマイズ画面を呼び出す機能に係る説明（「カスタマイズ」の文字列など）がフォーカスして表示される。
【０１１５】
図２１は、図２０に示した状態において、ユーザがいずれかのキー３０に接触しながら「５」キーに接触した場合に、表示部２０に表示される画面を示す図である。図２１に示すように、表示部２０には、ユーザが接触している「５」キーに割り付けられた第１機能に係る説明、すなわち、データＢＯＸを編集するための画面を呼び出す機能に係る説明（「データＢＯＸ」の文字列など）がフォーカスして表示される。
【０１１６】
図２２は、図２１に示した状態でユーザが「５」キーを押下した場合に、表示部２０に表示される画面を示す図である。図２２に示すように、ユーザが押下した「５」キーに割り付けられた第１機能、データＢＯＸを編集するための画面を呼び出す機能が実行され、表示部２０には、データＢＯＸを編集するための画面が表示される。
【０１１７】
（作用及び効果）
本発明の第５実施形態に係る携帯端末１００によれば、携帯端末１００が、ユーザがサイドキー３０ａに接触している状態から連続してユーザがサイドキー３０ａ以外のキー３０に接触した状態となった場合には、「通常モード」を設定せずに「シフトモード」を継続する。
【０１１８】
従って、ユーザは、「シフトモード」の機能を携帯端末１００に実行させようとする場合に、サイドキー３０ａに接触した状態からサイドキー３０ａ以外のいずれかのキー３０に連続して接触していれば、サイドキー３０ａの接触を継続する必要がなくなり、ユーザの利便性が向上する。
【０１１９】
すなわち、サイドキー３０ａからサイドキー３０ａ以外のキー３０にユーザが指を滑らせるだけで「シフトモード」が継続されるため、ユーザの利便性が向上する。
【０１２０】
また、携帯端末１００が、ユーザがサイドキー３０ａに接触している状態からユーザがサイドキー３０ａに接触していない状態となった場合に、「シフトモード」を所定時間に亘って継続する。
【０１２１】
このように、ユーザが携帯端末１００を握りなおした場合などに、ユーザがサイドキー３０ａから指を意図せずに離してしまった場合であっても、携帯端末１００は、「シフトモード」を継続する。従って、携帯端末１００は、ユーザの利便性の向上を図ることができる。
【０１２２】
［変更例］
上述した第１実施形態〜第５実施形態では、機能に係る説明は、表示部２０に表示されることによってユーザに通知されるが、これに限定されるものではなく、聴覚や触覚を通じてユーザに通知されてもよい。例えば、機能に係る説明は、音声や点字などの手法によってユーザに通知されてもよい。
【０１２３】
また、第１実施形態〜第５実施形態に係る携帯端末１００の動作をコンピュータに実行させるためのプログラムを提供してもよい。
【０１２４】
さらに、第１実施形態〜第５実施形態では、タッチパッド１０ｂは、ユーザがキー３０に接触したことのみを検出するが、これに限定されるものではなく、ユーザがキー３０に接触したこと及びユーザがキー３０を押下したことを検出してもよい。
【０１２５】
また、第１実施形態〜第５実施形態では、携帯端末１００の動作は、ループ処理となっているが、これに限定されるものではなく、タッチパッド１０ｂによる検出をトリガとする割込み処理であってもよく、ユーザの操作を十分に監視可能な時間間隔で実行されるポーリング処理であってもよい。
【０１２６】
さらに、第１実施形態〜第５実施形態では、ユーザがキー３０を押下している時間（以下、押下時間）については特に触れていないが、キー３０の押下時間に応じて実行される機能を切り替えてもよい。
【０１２７】
具体的には、モードが「通常モード」であっても、キー３０の押下時間が所定時間以上である場合には、第１機能が実行されてもよい。同様に、モードが「シフトモード」であっても、キー３０の押下時間が所定時間未満である場合には、第２機能が実行されてもよい。
【図面の簡単な説明】
【０１２８】
【図１】本発明の第１実施形態に係る携帯端末１００を示す外観図である。
【図２】本発明の第１実施形態に係る携帯端末１００を示す分解図である。
【図３】本発明の第１実施形態に係る制御基板１０ｃを示すブロック図である。
【図４】本発明の第１実施形態に係るキー割付情報を示す図である。
【図５】本発明の第１実施形態に係る携帯端末１００の動作を示すフロー図である。
【図６】本発明の第１実施形態に係る表示部２０に表示される画面を示す図である（その１）。
【図７】本発明の第１実施形態に係る表示部２０に表示される画面を示す図である（その２）。
【図８】本発明の第２実施形態に係る携帯端末１００の動作を示すフロー図である。
【図９】本発明の第２実施形態に係る表示部２０に表示される画面を示す図である（その１）。
【図１０】本発明の第２実施形態に係る表示部２０に表示される画面を示す図である（その２）。
【図１１】本発明の第３実施形態に係るキー割付情報を示す図である。
【図１２】本発明の第３実施形態に係る携帯端末１００の動作を示すフロー図である。
【図１３】本発明の第３実施形態に係る表示部２０に表示される画面を示す図である（その１）。
【図１４】本発明の第３実施形態に係る表示部２０に表示される画面を示す図である（その２）。
【図１５】本発明の第４実施形態に係る携帯端末１００の動作を示すフロー図である。
【図１６】本発明の第４実施形態に係る表示部２０に表示される画面を示す図である（その１）。
【図１７】本発明の第４実施形態に係る表示部２０に表示される画面を示す図である（その２）。
【図１８】本発明の第５実施形態に係る携帯端末１００の動作を示すフロー図である。
【図１９】本発明の第５実施形態に係る表示部２０に表示される画面を示す図である（その１）。
【図２０】本発明の第５実施形態に係る表示部２０に表示される画面を示す図である（その２）。
【図２１】本発明の第５実施形態に係る表示部２０に表示される画面を示す図である（その３）。
【図２２】本発明の第５実施形態に係る表示部２０に表示される画面を示す図である（その４）。
【符号の説明】
【０１２９】
１０・・・本体部、１０ａ・・・キー配置面、１０ｂ・・・タッチパッド、１０ｃ・・・制御基板、１１・・・接触検出インターフェース、１２・・・押下検出インターフェース、１３・・・キー割付情報記憶部、１４・・・制御部、１５・・・表示制御部、２０・・・表示部、３０・・・キー、３０ａ・・・サイドキー、３０ｂ・・・発呼キー、１００・・・携帯端末
【図１】
2007082101.tif 000003
【図２】
2007082101.tif 000004
【図３】
2007082101.tif 000005
【図４】
2007082101.tif 000006
【図５】
2007082101.tif 000007
【図６】
2007082101.tif 000008
【図７】
2007082101.tif 000009
【図８】
2007082101.tif 000010
【図９】
2007082101.tif 000011
【図１０】
2007082101.tif 000012
【図１１】
2007082101.tif 000013
【図１２】
2007082101.tif 000014
【図１３】
2007082101.tif 000015
【図１４】
2007082101.tif 000016
【図１５】
2007082101.tif 000017
【図１６】
2007082101.tif 000018
【図１７】
2007082101.tif 000019
【図１８】
2007082101.tif 000020
【図１９】
2007082101.tif 000021
【図２０】
2007082101.tif 000022
【図２１】
2007082101.tif 000023
【図２２】
2007082101.tif 000024